(57)【要約】【課題】水槽内の混濁した水を何度も濾過して水質を高め、第一、第二濾過箱の設置により、操作が簡単で、製造コストを下げる水槽の外付け濾過器を提供する。【解決手段】水槽の外付け濾過器は、水槽外部に設置して、水槽内の水を循環、浄化する濾過器であり、主に本体、上蓋、第一濾過箱及び第二濾過箱を含む。そのうち、本体内部には第一濾過箱を納置する第一容器槽と、第二濾過箱を納置する第二容器槽を具え、第一、第二容器槽の間には導入溝が成形され、水槽内の水が第一濾過箱で濾過された後、再び第二濾過箱へ導かれて濾過し、何度も濾過を行う。また濾過器には高度を調整する掛け具ユニットが設置され、水槽の外部に掛ける。更に第一、第二濾過箱は必要に応じて濾過材を交換するが、操作が簡単で、コストを下げる効果を具える。【選択図】図１
0003118251.tif 000002
【実用新案登録請求の範囲】
【請求項１】
主に本体、上蓋、第一濾過箱及び第二濾過箱から構成された水槽の外付け濾過器において、
中空箱体で、その内部に第一濾過箱を納置する第一容器層と、第二濾過箱を納置する第二容器槽を設置し、箱体上方の内側面には複数個に相対した掛合い孔を具える本体と、
本体の上方に被せ、その前後側に凹槽を各々成形し、その凹槽の左右側に枢設結合孔及び通孔を成形して、そこに可動部品の枢設軸を枢設し、その可動部品の底部には掛合い塊を設置して通孔に入れ、一側面には水進入接ぎ手を設置し、別側面には出水接ぎ手をし、内側には吸水モータを設置し、中央箇所には停止板を設置する上蓋と、
第一容器槽内に設置し、中に濾過材を入れる第一濾過箱と、
第二容器槽内に設置し、中に濾過材を入れる台に濾過箱から構成されることを特徴とする水槽の外付け濾過器。
【請求項２】
請求項１記載の水槽の外付け濾過器において、本体の第一容器槽及び第二容器槽は、その間に導入溝を成形し、そこに仕切板を設置し、その仕切板の上縁と上蓋の停止板の下縁は相互に接合することを特徴とする水槽の外付け濾過器。
【請求項３】
請求項１記載の水槽の外付け濾過器において、第一濾過箱は、上方に水進入孔を具え、その底部には均等に複数の中空槽が形成されることを特徴とする水槽の外付け濾過器。
【請求項４】
請求項１記載の水槽の外付け濾過器において、第二濾過箱は、上方に出水孔を具え、その底部には均等に複数の中空槽が形成されることを特徴とする水槽の外付け濾過器。
【請求項５】
請求項１記載の水槽の外付け濾過器において、本体の底面内側は、複数個の凸脚が設置され、それが第一濾過箱と、第二濾過箱及び仕切板の間の通過道を形成することを特徴とする水槽の外付け濾過器。
【請求項６】
請求項１記載の水槽の外付け濾過器において、本体は、外側に掛け具ユニットを設置することを特徴とする水槽の外付け濾過器。
【請求項７】
請求項６記載の水槽の外付け濾過器において、掛け具ユニットは、本体掛合環、掛合具、水進入管、出水管、水導入管及び出水導入管を含み、そのうち、
本体外側に設置し、その一外側面には、複数個の掛合い凸を設置する本体掛合い環と、  本体掛合い環上に設置し、その一側面には複数個の垂直配列した嵌合溝が成形され、そこに掛合い凸を相互にかけて定位するもので、掛合い部が成形され、それを水槽に掛ける掛合い具と、
中空管体で、その一端には接ぎ手が設置され、別一端には篩が設置される水進入管と、  中空管体で、その一端には接ぎ手が設置され、別一端は封鎖され、管体上には複数個の出水孔が設置される出水管と、
軟質の管体で、その一端は上蓋の水進入接ぎ手が設置され、別一端は水進入管の接ぎ手が設置される水導入管と、
軟質の管体で、その一端は上蓋の出水接ぎ手が設置され、別一端は、出水管の接ぎ手が設置される出水導入管から構成されることを特徴とする水槽の外付け濾過器。
【考案の詳細な説明】
【技術分野】
【０００１】
本考案は、水槽の外付け濾過器に関するもので、水槽の外部に設置して水を循環、浄化するものである。
【背景技術】
【０００２】
公知の水槽濾過器は、その濾過層の構造が、仕切板によって、濾過区と吸水区を設置する。特許文献１記載の特許は濾過器の方法、仕切板上に設置した濾過材及びその数によって、濾過後の水質の良し悪しが決まる。良質な濾過水を求めるには、仕切板を増設しなければならず、構造上大変煩雑であり、且つ仕切板の厚みによって、その中に入れる濾過材が少なくなり、根本的な水質改善ができない。
【０００３】
【特許文献１】台湾特許公告０９１２１７６２２号明細書
【考案の開示】
【考案が解決しようとする課題】
【０００４】
解決しようとする問題点は、仕切板を何枚も入れることによって、濾過材の量が減り、濾過の効果を十分に得られない点である。
【課題を解決するための手段】
【０００５】
請求項１の考案は、主に本体、上蓋、第一濾過箱及び第二濾過箱から構成された水槽の外付け濾過器において、
中空箱体で、その内部に第一濾過箱を納置する第一容器層と、第二濾過箱を納置する第二容器槽を設置し、箱体上方の内側面には複数個に相対した掛合い孔を具える本体と、
本体の上方に被せ、その前後側に凹槽を各々成形し、その凹槽の左右側に枢設結合孔及び通孔を成形して、そこに可動部品の枢設軸を枢設し、その可動部品の底部には掛合い塊を設置して通孔に入れ、一側面には水進入接ぎ手を設置し、別側面には出水接ぎ手をし、内側には吸水モータを設置し、中央箇所には停止板を設置する上蓋と、
第一容器槽内に設置し、中に濾過材を入れる第一濾過箱と、
第二容器槽内に設置し、中に濾過材を入れる台に濾過箱から構成されることを特徴とする水槽の外付け濾過器としている。
請求項２の考案は、請求項１記載の水槽の外付け濾過器において、本体の第一容器槽及び第二容器槽は、その間に導入溝を成形し、そこに仕切板を設置し、その仕切板の上縁と上蓋の停止板の下縁は相互に接合することを特徴とする水槽の外付け濾過器としている。
請求項３の考案は、請求項１記載の水槽の外付け濾過器において、第一濾過箱は、上方に水進入孔を具え、その底部には均等に複数の中空槽が形成されることを特徴とする水槽の外付け濾過器としている。
請求項４の考案は、請求項１記載の水槽の外付け濾過器において、第二濾過箱は、上方に出水孔を具え、その底部には均等に複数の中空槽が形成されることを特徴とする水槽の外付け濾過器としている。
請求項５の考案は、請求項１記載の水槽の外付け濾過器において、本体の底面内側は、複数個の凸脚が設置され、それが第一濾過箱と、第二濾過箱及び仕切板の間の通過道を形成することを特徴とする水槽の外付け濾過器としている。
請求項６の考案は、請求項１記載の水槽の外付け濾過器において、本体は、外側に掛け具ユニットを設置することを特徴とする水槽の外付け濾過器としている。
請求項７の考案は、請求項６記載の水槽の外付け濾過器において、掛け具ユニットは、本体掛合い環、掛合い具、水進入管、出水管、水導入管及び出水導入管を含み、そのうち、
本体外側に設置し、その一外側面には、複数個の掛合い凸を設置する本体掛合い環と、  本体掛合い環上に設置し、その一側面には複数個の垂直配列した嵌合溝が成形され、そこに掛合い凸を相互にかけて定位するもので、掛合い部が成形され、それを水槽に掛ける掛合い具と、
中空管体で、その一端には接ぎ手が設置され、別一端には篩が設置される水進入管と、  中空管体で、その一端には接ぎ手が設置され、別一端は封鎖され、管体上には複数個の出水孔が設置される出水管と、
軟質の管体で、その一端は上蓋の水進入接ぎ手が設置され、別一端は水進入管の接ぎ手が設置される水導入管と、
軟質の管体で、その一端は上蓋の出水接ぎ手が設置され、別一端は、出水管の接ぎ手が設置される出水導入管から構成されることを特徴とする水槽の外付け濾過器としている。
【考案の効果】
【０００６】
本考案の水槽の外付け濾過器は、水槽内の混濁した水を何度も濾過して水質を高め、第一、第二濾過箱の設置により、操作が簡単で、製造コストを下げるという利点がある。
【考案を実施するための最良の形態】
【０００７】
図１、図２に示すとおり、本考案は主に本体１１、上蓋１２、第一濾過箱１３及び第二濾過箱１４を濾過器１内に設置する。
【０００８】
そのうち、本体１１は、中空箱体１１０で、その内部には第一容器槽１１１を具え、中に第一濾過箱１３を設置する。また第二容器槽１１２には第二濾過箱１４を設置する。第一容器槽１１１及び第二容器槽１１２の間には導入溝１１３が設置され、そこに仕切板１５を入れ、中空箱体１１０上方の内側面には複数個の相対する掛合い孔１１４を設置する。別に底面内側に数個の凸脚１１５を設置し、そこに第一濾過箱を置く。また第二濾過箱１４及び仕切板１５の間に通過道Ａを形成する。
【０００９】
上蓋１２は、本体１１の上方に設置し、上蓋１２の前後側に各々凹槽１２１を成形する。その凹槽１２１の左右側にはそれぞれ枢設結合孔１２２及び通孔１２３を設置し、そこに可動部品１６を設置し、その枢設軸１６１で枢設する。この可動部品１６の底部には掛合い塊１６２を具え、通孔１２３に設置する。上蓋１２の一側面には水進入接ぎ手１２４が設置され、別側面には出水接ぎ手１２５が設置される。この水進入接ぎ手１２４の近くには水補給口１２６が設置され、その上には回転蓋１７を被せる。上蓋１２の内側の出水接ぎ手１２５近くには、吸水モータ１８が設置され、その底部には排気孔１９１を具えた吸水接ぎ手１９が設置される。その吸水接ぎ手１９の一端には、第二濾過箱１４の出水孔１４２が設置され、別一端には出水接ぎ手１２５が設置される。別に上蓋１２の中央箇所には、停止板１２７が延び、その下縁１２７１に仕切板１５の上縁１５１を相互に接合する。
【００１０】
第一濾過箱１３は、第一容器槽１１１内に設置するもので、その中には濾過材１３４を設置する(例として濾過綿、陶磁リング、麦飯石、活性炭等)。その上方に蓋体１３１を設置し、その蓋体１３１には水進入孔１３２を設置する。この第一濾過箱１３の底部には複数個の中空槽１３３が平均して形成される。
【００１１】
第二濾過箱１４は、第二容器槽１１２内に設置するもので、その中には濾過材１４４を設置する（例として濾過綿、陶磁リング、麦飯石、活性炭等）。その上方に蓋体１４１を設置し、その蓋体１４１には出水孔１４２を設置する。この第二濾過箱１４の底部には、平均して複数個の中空槽１４３が形成される。
【００１２】
本考案の本体１１の仕切板１５を本体１１の導入溝１１３内に通すことによって、第一容器槽１１１及び第二容器槽１１２に仕切られる。その上縁１５１は、上蓋１２の停止板１２５の下縁１２５１と相互に接合する。
【００１３】
上述の構造は、上蓋１２が本体１１の上方に被さり、その時に可動部品１６が垂直状態になり、上蓋１２と本体１１が完全に合わさった後、可動部品１６が凹槽１２１内に向けて回転して水平状態となる。そして、掛合い塊１６２が回転して通孔１２３内に入り、本体１１の掛合い孔１１４内に掛合され、上蓋１２と本体１１が結合される(図３参照)。この濾過器１で水を濾過する時、吸水モータ１８の運転により、水槽内の汚れた水が水導入管２５から、水進入接ぎ手１２４を通って第一容器槽１１１内に入る。水流は停止板１２７Ｙと仕切板１５によって止められ、第一濾過箱１３の上方にだけ流れて下へ落ちる。濾過材１３４で濾過されると、その底部の中空槽１３３に沿って通過道Ａを経て、第二容器槽１１２へ流れる。第一濾過箱１３で浄化された水は、再び第二濾過箱１４底部の中空槽１４３からその内部の濾過材１４４へ流れ、再度浄化が行われる。複数回の浄化によって濾過された水は、吸水接ぎ手１９から出水接ぎ手１２５へ流れ、出水導入管２６によって水槽内へ流れ出る。このように常に循環して濾過が行われ、水槽内の水質を常に浄化した状態にする。
【００１４】
更に本考案の第一濾過箱１３及び第二濾過箱１４の内部の濾過材１３４、１４４は交換が必要かどうかを見ることができ、その場合、可動部品１６を動かし、上蓋１２を取外し、第一濾過箱１３もしくは第二濾過箱１４を取り出して洗い、新しい濾過箱を入れてもよく、もしくは第一、第二濾過箱１３，１４の蓋体１３１、１４１を取り外して新しい濾過材を入れてもよい。これらの作業は大変簡単で、且つ二つの容器槽が簡単であるため、コストも低く、濾過効果も高い。
【００１５】
図４，５に示すとおり、本考案外部に掛け具ユニット２を設置する。それは、本体掛合い環２１、掛合い具２２、水進入管２３、出水管２４、水導入管２５及び出水導入管２６を含む。
【００１６】
そのうち、この本体掛合い環２１は、濾過器１の本体１１に嵌め、その一側面には外向きに突出した複数個の掛合い凸２１１が設置される。
【００１７】
掛合い具２２は、上述の本体掛合い環２１上に設置し、その一側面には数個の垂直配列した嵌合溝２２１が成形され、掛合い凸２１１を嵌めて相互に定位させ、その掛合い具２２に掛合い部２２２を設置して、それを水槽３に掛ける。
【００１８】
水進入管２３は、中空管体で、その一端には接ぎ手２３１が設置され、別一端には篩２３２が設置されて、石や水草が入るのを防ぐ。
【００１９】
出水管２４は、中空管で、その一端に接ぎ手２４２が設置され、別一端は封鎖され、その管体上に複数個の出水孔２４１が設置される。
【００２０】
水導入管２５は、軟質の管体で、その一端に濾過器１の水進入接ぎ手１２４を設置し、別一端には水進入管２３の接ぎ手２３１を設置する。
【００２１】
出水導入管２６は、軟質の管体で、その一端に濾過器１の出水接ぎ手１２５を設置し、別一端には出水管２４の接ぎ手２４２を設置する。
【００２２】
本体掛合い環２１は、濾過器１本体１１の下方から入れて上へ持ち上げて設置し、掛合い具２２は、嵌合溝２２１を選んで本体掛合い環２１に掛合し(図６参照)、濾過器１の高度を調整する。この掛合い具２２の掛合い部２２２を水槽３の一側面に掛け、水進入管２３及び出水管２４を吸盤２７に設置して、水槽３の内側壁面に設置する。水槽３内の汚れた水は水進入管２３から濾過器１へ入り、濾過後、出水管２４から水槽３へ戻り、継続的に水を循環させる。
【図面の簡単な説明】
【００２３】
【図１】本考案の立体分解図である。
【図２】本考案の組立断面指示図である。
【図３】本考案の操作指示図である。
【図４】本考案実施例の立体分解指示図である。
【図５】本考案実施例の平面組立断面図である。
【図６】本考案の掛合い調整指示図である。
【符号の説明】
【００２４】
１        濾過器            １１      本体      
１１０    中空箱体          １１１    第一容器槽
１１２    第二容器槽        １１３    導入溝    
１１４    掛合い孔          １１５    凸脚      
１２      上蓋              １２１    凹槽      
１２２    枢設結合孔        １２３    通孔      
１２４    水進入接ぎ手      １２５    出水接ぎ手
１２６    水補給孔          １２７    停止板    
１２７１  下縁              １３      第一濾過箱
１３１    蓋体              １３２    水進入孔  
１３３    中空槽            １３４    濾過材    
１４      第二濾過箱        １４１    蓋体      
１４２    出水孔            １４３    中空槽    
１４４    濾過材            １５      仕切板    
１５１    上縁              １６      可動部品  
１６１    枢設軸            １６２    掛合い塊    
１７      回転蓋            １８      吸水モータ
１９      吸水接ぎ手        １９１    排気孔    
２        掛け具ユニット    ２１      本体掛合い環
２１１    掛合い凸          ２２      掛合い具    
２２１    嵌合溝            ２２２    掛合い部    
２３      水進入管          ２３１    接ぎ手    
２３２    篩                ２４      出水管    
２４１    出水孔            ２４２    接ぎ手    
２５      水導入管          ２６      出水導入管
２７      吸盤              ３        水槽      
Ａ        通過道
【図１】
0003118251.tif 000003
【図２】
0003118251.tif 000004
【図３】
0003118251.tif 000005
【図４】
0003118251.tif 000006
【図５】
0003118251.tif 000007
【図６】
0003118251.tif 000008